(57)【特許請求の範囲】
【請求項１】
複数の鍵からなる鍵盤を収容してなるケースと、
前記ケースに対して、該ケースにおける前記鍵盤の上方を閉じる閉位置と該上方を開く開位置との間で移動可能となるように取り付けられた板状の蓋体と、
前記ケースにおける前記鍵の配列方向の両側に配置した一対の側部と、それらに対向する前記蓋体における前記鍵の配列方向の両端部それぞれとを連結してなる一対の連結機構と、
前記ケース内で前記鍵盤の見え掛り部よりも後側の上方を覆うように設置した板状のパネル部材と、
を備えた鍵盤楽器の蓋体開閉構造であって、
前記連結機構は、
前記側部と前記蓋体の端部との間に取り付けられて、一端が前記側部の内側面に対してリンク支持されており、他端が前記蓋体の端部に対してリンク支持されてなる一又は複数の連結具と、
前記側部と前記蓋体のいずれか一方に設けた凹部を有するガイド部材と、他方に設けた凸部を有するスライド部材とを備え、前記ガイド部材の前記凹部に前記スライド部材の前記凸部が摺動可能な状態で嵌合しているスライド機構と、を備え、
前記蓋体が前記閉位置と前記開位置との間を移動する際に、該蓋体の後端部が前記鍵の長手方向を前後にスライド移動するように構成されており、
前記パネル部材は、その幅方向の端部に設けたカバー部が、前記スライド機構及び前記連結具の少なくとも一部を覆った状態で、前記側部の内側面に対峙して設置されている
ことを特徴する鍵盤楽器の蓋体開閉構造。
【請求項２】
前記ガイド部材の少なくとも一の端面は、前記側部の内側面に対峙させた前記パネル部材の前記カバー部を位置決めするための位置決め部になっている
ことを特徴する請求項１に記載の鍵盤楽器の蓋体開閉構造。
【請求項３】
前記カバー部における前記側部の内側面に対峙する面には、前記連結具を挿通させるための切込部が設けられている
ことを特徴とする請求項１又は２に記載の鍵盤楽器の蓋体開閉構造。
【請求項４】
前記パネル部材の上面は、前記開位置での前記蓋体の内面に立て掛ける譜面を載置するための譜面受けになっており、
前記譜面受けは、前記鍵の長手方向の前側から後側に向かうにつれてその面が次第に下降するように傾斜する傾斜平面状の底面を有する窪みであり、
前記譜面受けにおける幅方向の両端部は、前記蓋体が前記閉位置にある状態で、前記連結具を前記蓋体に対してリンク支持するための軸受部品を収容する収容部になっている
ことを特徴する請求項１乃至３のいずれか１項に記載の鍵盤楽器の蓋体開閉構造。
【請求項５】
前記パネル部材は、合成樹脂製の成型品であって、
前記カバー部は、前記パネル部材の端部に一体形成された部分である
ことを特徴とする請求項１乃至４のいずれか１項に記載の鍵盤楽器の蓋体開閉構造。
【発明の詳細な説明】
【技術分野】
【０００１】
本発明は、電子オルガンや電子ピアノをはじめとする各種の鍵盤楽器において、ケース内に設置した鍵盤の上面側を開閉する蓋体と、ケースに対して蓋体を移動可能に連結してなる連結機構とを備えた鍵盤楽器の蓋体開閉構造に関する。
【背景技術】
【０００２】
電子オルガンや電子ピアノをはじめとする各種の鍵盤楽器には、ケース内に設置した鍵盤の上面側を開閉するための鍵盤蓋（蓋体）を備えたものがある。このような鍵盤蓋を開閉する開閉機構の従来技術として、例えば、特許文献１に示す開閉機構がある。特許文献１に記載の開閉機構は、ピアノ本体側に奥屋根を介して回動自在に取り付けた蓋体を開閉するための機構であって、奥屋根の下面側に取り付けた緩衝器と鍵盤蓋との間を連結する細板状のリンクバー（連結具）を有するリンク機構を備えている。そして、奥屋根と鍵盤との間には、鍵盤の後端上面を覆う板状の鍵盤押え（パネル部材）が設置されており、当該鍵盤押えの両端部におけるリンクバーに対向する位置には、鍵盤押えとリンクバーとの干渉を防止するための切欠きが形成されている。
【０００３】
そして、特許文献１に記載の開閉機構では、鍵盤蓋を開いたときに、鍵盤押えの切欠きやその後ろ側のリンクバーの大部分が見えてしまうことで、ピアノの外観を損ねるという課題がある。そのため、当該課題を解決するための構成として、鍵盤蓋が開位置にあるときに鍵盤押えの切欠きを塞ぐカバー部材を設けている。このカバー部材は、リンクバーに嵌め込まれて一体に取り付けられた薄板状の部材である。これにより、鍵盤蓋が開位置にあるときに、リンクバーと一体に移動するカバー部材が鍵盤押えの切欠きを塞ぐように構成している。
【０００４】
しかしながら、特許文献１に記載の鍵盤蓋の開閉構造では、鍵盤押えの端部と、該端部に設けた切欠きを塞ぐためのカバー部材との少なくとも二部品で、リンクバー及びその周囲を覆うための部品を構成している。そのため、リンク機構を覆うための部品の点数増加、リンク機構の周辺構造の煩雑化などにつながるおそれがある。また、鍵盤蓋の開閉に伴い移動する部品であるリンクバーにカバー部材を取り付けた構成であるため、鍵盤蓋の繰り返しの開閉動作に伴いカバー部材や鍵盤押えの端部に位置ずれや破損などの不具合が生じる可能性もあり、開閉構造の耐久性を確保することが難しいという問題もある。
【０００５】
また、上記のようなリンク機構を備えた開閉構造では、カバー部材の切り欠きから露出するリンクバーと本体部の側壁などとの間に微小な隙間があることで、当該隙間に指などを挟んでしまうおそれがあるため、このような指挟みを防止するための構造を採用することが望ましい。
【０００６】
また、上記のようなリンク機構を備えた開閉構造では、油圧式ダンパなどからなる緩衝器をリンクバーの鍵盤蓋側の端部に取り付ける場合がある。その場合、通常の軸受などと比較して外形寸法が大きい油圧式ダンパなどの部品を鍵盤蓋の下面（内面）に取り付ける必要がある。しかしながら、外形寸法が大きい油圧式ダンパなどの部品を設置していると、鍵盤蓋を閉じた際に、油圧式ダンパなどの部品が鍵盤押えの上面などと干渉し易くなるという問題がある。そのため、当該干渉を防止するための形状や配置構成を採用する必要がある。
【０００７】
また、上記のような鍵盤押え（パネル部材）は、鍵盤の見え掛り部の後側上方を覆う部材であるため、その前端辺を鍵の配列方向に対して厳密に平行な状態で設置しなければならない。しかしながら、実際には、鍵盤押えを鍵盤の後側に取り付ける際にその位置決めを正確に行うことは必ずしも容易ではないため、鍵盤押えを正確な位置に取り付ける作業に手間と時間を要するという問題がある。
【先行技術文献】
【特許文献】
【０００８】
【特許文献１】特許３５８９３７７号公報
【発明の概要】
【発明が解決しようとする課題】
【０００９】
本発明は上述の点に鑑みてなされたものであり、その目的は、部品点数を少なく押えた簡単な構成で、鍵盤楽器の鍵盤を収容してなるケースと蓋体を連結する連結機構を含む鍵盤楽器の外観を良好にできると共に、鍵盤楽器の後部を覆うパネル部材の取付性向上や、鍵盤楽器のコンパクト化などを図ることができる鍵盤楽器の蓋体開閉構造を提供することにある。
【課題を解決するための手段】
【００１０】
上記課題を解決するための本発明は、複数の鍵（５ａ，５ｂ）からなる鍵盤（５）を収容してなるケース（１０）と、前記ケース（１０）に対して、該ケース（１０）における前記鍵盤（５）の上方を閉じる閉位置と該上方を開く開位置との間で移動可能となるように取り付けられた板状の蓋体（２０）と、前記ケース（１０）における前記鍵（５ａ，５ｂ）の配列方向の両側に配置した一対の側部（６，６）と、それらに対向する前記蓋体（２０）における前記鍵（５ａ，５ｂ）の配列方向の両端部（２０ｄ，２０ｄ）それぞれとを連結してなる一対の連結機構（３０，３０）と、前記ケース（１０）内で前記鍵盤（５）の見え掛り部（４）よりも後側の上方を覆うように設置した板状のパネル部材（５５）と、を備えた鍵盤楽器の蓋体開閉構造であって、前記連結機構（３０）は、前記側部（６）と前記蓋体（２０）の端部（２０ｄ）との間に取り付けられて、一端（３１ａ）が前記側部（６）の内側面（６ｃ）に対してリンク支持されており、他端（３１ｂ）が前記蓋体（２０）の端部（２０ｄ）に対してリンク支持されてなる一又は複数の連結具（３１）と、前記側部（６）と前記蓋体（２０）のいずれか一方に設けた凹部（４３ａ）を有するガイド部材（４３）と、他方に設けた凸部（４５ａ）を有するスライド部材（４５）とを備え、前記ガイド部材（４３）の前記凹部（４３ａ）に前記スライド部材（４５）の前記凸部（４５ａ）が摺動可能な状態で嵌合しているスライド機構（４０）と、を備え、前記蓋体（２０）が前記閉位置と前記開位置との間を移動する際に、該蓋体（２０）の後端部（２０ａ）が前記鍵（５ａ、５ｂ）の長手方向を前後にスライド移動するように構成されており、前記パネル部材（５５）は、その幅方向の端部（５５ａ）に設けたカバー部（５４）が、前記スライド機構（４０）及び前記連結具（３１）の少なくとも一部を覆った状態で、前記側部（６）の内側面（６ｃ）に対峙していることを特徴する。
【００１１】
本発明の蓋体開閉構造ように、連結具及びスライド機構を備えた連結構造を有するものでは、仮に、連結具及びスライド機構の少なくとも一部を覆うカバー部を設けていないと、蓋体を開いたときに、演奏者の側から連結機構を構成する連結具やスライド機構の構成部品が見えてしまうことで、鍵盤楽器の外観が損なわれるおそれがある。また、連結具とケースの側部などとの間に微小な隙間があることで、当該隙間に指などを挟んでしまうおそれもある。また、スライド機構の凹部と凸部の嵌合箇所が露出していると、それらの隙間にも指などを挟んでしまうおそれがある。そこで、本発明に係る蓋体開閉構造では、上記のように、パネル部材の両端部に設けたカバー部でスライド機構及び連結具の少なくとも一部を覆うように構成した。これにより、蓋体を開いた際に連結具やスライド機構の構成部品が露出せずに済む。このように、連結機構やスライド機構など蓋体開閉構造の構成部品を鍵盤楽器の外観上見え難くすることができるので、鍵盤楽器の外観を良好にすることができる。また、連結具と側壁などとの隙間やスライド機構の隙間に指などを挟んでしまうおそれがなくなる。したがって、上記構成の蓋体開閉構造を備えた鍵盤楽器の取扱いにおける安全性を向上させることができる。
【００１２】
また、本発明に係る蓋体開閉構造では、上記のパネル部材を合成樹脂製の成型品とし、上記のカバー部をパネル部材の端部に一体形成された部分としてもよい。これによれば、鍵盤楽器の部品点数を少なく抑えることが可能となる。これにより、鍵盤楽器の組立工程の煩雑化を防止でき、鍵盤楽器の低コスト化を図ることができる。この点、特許文献１に示す従来構造では、鍵盤押えとカバー部材とが別体である構造のため、鍵盤楽器の部品点数の増加、構造及び組立工程の煩雑化につながってしまう。
【００１３】
また、上記の蓋体開閉構造では、前記ガイド部材（４３）の少なくとも一の端面（４３ｂ）は、前記側部（６）の内側面（６ａ）に対峙させた前記パネル部材（５５）の前記カバー部（５４）を位置決めするための位置決め部になっているとよい。
【００１４】
この構成によれば、パネル部材を取り付ける際の位置決めが行い易くなる。すなわち、パネル部材の両端部をケースの側部に対して正確に位置決めした状態で取り付けることができるようになるので、鍵盤の見え掛り部の後側上方に設置するパネル部材は、その前端辺を鍵の配列方向に対して厳密に平行な状態で設置しなければならないところ、それを容易に実現できるようになる。したがって、鍵盤楽器の組立性を向上させることができる。
【００１５】
また、上記の蓋体開閉構造では、カバー部（５４）における側部（６）の内側面（６ａ）に対峙する面には、連結具（３１）を挿通させるための切込部（５５ｃ）が設けられているとよい。この構成によれば、ケースと蓋体とを連結する連結具を覆いながらも、蓋体の開閉に伴う連結具の動作を確保することができる。
【００１６】
また、上記の蓋体開閉構造では、パネル部材（５５）の上面は、開位置での蓋体（２０）の内面（２０ｃ）に立て掛ける譜面を載置するための譜面受け（５３）になっており、譜面受け（５３）は、鍵（５ａ，５ｂ）の長手方向の前側から後側に向かうにつれてその面が次第に下降するように傾斜する傾斜平面状の底面を有する窪みであり、譜面受け（５３）における幅方向の両端部は、蓋体（２０）が閉位置にある状態で、前記連結具（３１）を前記蓋体（２０）に対してリンク支持するための軸受部品（３６）を収容するための収容部（５２）になっているとよい。
【００１７】
この構成によれば、蓋体が閉位置にある状態で、パネル部材の上面側に設けた譜面受けの両端部に連結具を蓋体に対してリンク支持するための軸受部品が収容されるので、蓋体が閉位置にある状態での鍵盤楽器の高さ寸法を低く抑えることができる。また、パネル部材に設けた譜面受けで軸受部品の収容部を兼用するように構成したことで、鍵盤楽器の構成の簡素化、部品点数の削減による低コスト化などを図ることも可能となる。特に、連結具を蓋体に対してリンク支持するための軸受部品をトルク発生型の軸受部品とすると、トルク発生機能を有しない通常の軸受部品と比較してその径寸法や軸方向の長さ寸法が大きくなるところ、本発明にかかる上記構成によれば、パネル部材に設けた譜面受けの窪みが軸受部品の収納部になることで、径寸法や長さ寸法の大きな軸受部品をケース内に確実に収容することが可能となる。また、連結具を蓋体に対してリンク支持するための軸受部品として、トルク発生型の軸受部品とトルク発生機能を有しない軸受部品との両方を使用可能となるので、蓋体開閉構造の設計自由度を向上させることができる。さらに、複数種類の機種間で同一構成の蓋体開閉構造を共用する場合でも、鍵盤楽器の各部の寸法（ケースの高さ寸法など）の機種ごとの変更が不要となるので、蓋体開閉構造の汎用性を向上させることができる。
なお、上記における括弧内の符号は、後述する実施形態における対応する構成要素の符号を本発明の一例として示したものである。
【発明の効果】
【００１８】
本発明にかかる鍵盤楽器の蓋体開閉構造によれば、部品点数を少なく押えた簡単な構成で、鍵盤を収容してなるケースと蓋体とを連結する連結機構を含む鍵盤楽器の外観を良好にできると共に、鍵盤楽器の後部を覆うパネル部材の取付性向上や、鍵盤楽器のコンパクト化などを図ることができる。
【図面の簡単な説明】
【００１９】
【図１】本発明の第１実施形態にかかる蓋体開閉構造を備えた鍵盤楽器の全体構成例を示す斜視図である。
【図２】蓋体開閉構造の詳細構成を示す図で、鍵盤楽器の側断面図である。
【図３】スライド機構の詳細構成を示す図で、下ケースの一方の側部を示す部分拡大斜視図である。
【図４】（ａ）は、パネル部材の端部の詳細構成を示す図で、下ケースの一方の側部を示す部分拡大斜視図、（ｂ）は、（ａ）のＸ部分を正面側から見た平面視の拡大図である。
【図５】パネル部材の取付手順を説明するための図である。
【図６】蓋体が閉位置から開位置へ移動する際の動作を説明するための図である。
【図７】本発明の第２実施形態にかかる蓋体開閉構造を示す図で、（ａ）は、鍵盤楽器の側断面図、（ｂ）は、ケース及びパネル部材を正面側から見た概略図である。
【発明を実施するための形態】
【００２０】
以下、添付図面を参照して本発明の実施形態を詳細に説明する。
〔第１実施形態〕
図１は、本発明の一実施形態にかかる蓋体開閉構造を備えた鍵盤楽器１の全体構成例を示す斜視図である。また、図２は、本実施形態にかかる蓋体開閉構造の詳細構成を示す図で、鍵盤楽器１の側断面図である。なお、図２（ａ）は、後述する蓋体２０が開位置にある状態を示しており、（ｂ）は、蓋体２０が閉位置にある状態を示している。本実施形態の鍵盤楽器１は、下ケース（ケース）１０と、該下ケース１０内に設置された鍵盤５と、下ケース１０に取り付けられた蓋体（鍵盤蓋）２０とを備えている。なお、以下の説明では、横方向又は幅方向というときは、鍵盤５の各鍵５ａ，５ｂが配列された左右方向を示し、前又は後というときは、鍵盤５の手前側（演奏者側）又は奥側を示すものとする。
【００２１】
鍵盤５は、横方向に沿って配列された複数の黒鍵５ａと白鍵５ｂとを有している。鍵盤５を収容している下ケース１０は、鍵盤５の左右両側それぞれを覆う一対の側板（側部）６，６と、鍵盤５の前側を覆う前板（前部）７と、後側を覆う後板（後部）８と、底側を覆う底板（底部）９とで囲まれており、全体が横長の略直方体状に形成されている。下ケース１０の上面側は、鍵盤５の上面が露出する開口になっている。そして、蓋体２０は、下ケース１０に対して該開口を完全に閉じる閉位置と、該開口を完全に開く開位置との間で移動可能となるように取り付けられている。この蓋体２０は、一対の側板６，６の上端面６ａ，６ａに載置された状態で開口を塞ぐ一枚板状の部材であり、その外形は、下ケース１０の外形に沿う横長の長方形状になっている。蓋体２０の内面（下面）２０ｃにおける前端近傍には、前板７の上方で鍵盤５の前面を覆う蓋前２１が取り付けられている。なお、上記では、側板６，６は、その側面視の形状が方形状であって、上端面６ａ，６ａが下ケース１０の後方から前方に向かって水平な（下ケース１０の底板９と平行な）形状である場合を示したが、これ以外にも、詳細な図示は省略するが、側板６，６は、その側面視の形状が略台形形状であって、その上端面６ａ，６ａが下ケース１０の後方から前方に向かって下降するように傾斜する傾斜平面状に形成されていてもよい。
【００２２】
また、鍵盤５の両側部を覆う一対の側板６，６それぞれと、それらに対向する蓋体２０の両側の端部２０ｄ，２０ｄそれぞれとの間には、下ケース１０に対して蓋体２０を移動可能に連結してなる連結機構３０が設けられている。本実施形態の鍵盤楽器１では、連結機構３０，３０は、一対の側板６，６それぞれと蓋体２０における鍵５ａ，５ｂの配列方向の両端部２０ｄ，２０ｄそれぞれとの間に取り付けた一対の連結具３１，３１を有している。一対の連結具３１，３１は、互いが左右対称な形状及び取付構造を有している。なお、ここでいう蓋体２０の端部２０ｄとは、蓋体２０の幅方向における両側の端面とその近傍の内面２０ｃや外面を含む部分を示すものである。
【００２３】
図２に示すように、連結具３１は、長尺板状の部材であり、その長手方向の一方の端部３１ａが側板６の内側面６ｃに設けた第１リンク支点３３に回動自在に支持されており、他方の端部３１ｂが蓋体２０の鍵盤５側を向く内面２０ｃに設けた第２リンク支点３５に回動自在に支持されている。第１リンク支点３３は、側板６の内側面６ｃに対して、連結具３１の一方の端部３１ａを下ケース１０の幅方向を軸方向とする回転軸周りで回転自在に支持（リンク支持）している。また、第２リンク支点３５は、蓋体２０の内面２０ｃに対して、連結具３１の他方の端部３１ｂを蓋体２０の幅方向及び面方向を軸方向とする回転軸周りで回転自在に支持（リンク支持）している。また、第１リンク支点３３は、側板６の内側面６ｃに固定した軸受部品３２で連結具３１の端部３１ａを支持している。この軸受部品３２は、トルク発生機能を有しない通常の軸受部品である。また、第２リンク支点３５は、蓋体２０の内面２０ｃにネジで固定した取付板３４に設けたトルク発生型の軸受部品３６で連結具３１の端部３１ｂを支持している。
【００２４】
第２リンク支点３５に設置したトルク発生型の軸受部品３６は、その詳細な図示及び構造の説明は省略するが、例えば、内部に作動油が充填された筒状のハウジングと、該ハウジング内に回転自在に嵌合する回転部材とを備えて構成され、作動油の油圧による摺動抵抗によって回転部材の回転に対する制動力が作用するように構成された回転ダンパ機構（オイルダンパ機構）を用いることができる。このような回転ダンパ機構からなるトルク発生型の軸受部品３６として、例えば、特開２００１‐３４９３６４号公報や特開２００８‐１８５２１５号公報などに開示された構造の軸受部品を用いることが可能である。なお、上記のトルク発生型の軸受部品３６は、蓋体２０と連結具３１との相対的な回動に対する抵抗力を発生する抵抗力発生部として機能する部品である。
【００２５】
軸受部品３６は、上記のオイルダンパ機構に代えて、軸回りに設置した複数の樹脂部品の摺動により摩擦力を発生する回転ダンパ機構（回転摩擦機構）であってもよい。そして、この回転摩擦機構は、一方への回転においてのみ大きな摩擦力を発生し、なおかつ、回転速度が大きければ大きい程、大きな摩擦力を発生するダンパ機構（これを「ワンウェイクラッチ機構」）ともいう。）を用いてよい。そして、このようなダンパ機構を用いる場合は、蓋体２０を開位置から閉位置へ向けて移動させる方向で大きな摩擦力を発生するように設置すれば、閉位置へ移動する蓋体２０の動きがゆっくりとしたものになるので、蓋体２０を閉じる際に蓋体２０と側板６の上端面６ａとの間に指などを挟むおそれを低減できる。
【００２６】
連結具３１は、その長手方向が第１リンク支点３３から第２リンク支点３５に向かって延びる細板状で、第１リンク支点３３と第２リンク支点３５との中間の部分が平面内で略「く」字型に屈曲する屈曲部３１ｃになっている。この連結具３１は、その面を側板６の内側面６ｃと平行にして、屈曲部３１ｃの内側を上方に向けた状態で取り付けられている。また、第１リンク支点３３は、第２リンク支点３５よりも下側かつ前側（下ケース１０の下側かつ前側）に配置されている。
【００２７】
また、本実施形態の蓋体開閉構造は、蓋体２０が閉位置と開位置との間を移動する際に、該蓋体２０の後端部２０ａが側板６の上端面６ａ（下ケース１０の上面）に沿ってスライド移動するように構成したスライド機構４０を備えている。図３は、スライド機構４０の詳細構成を説明するための図で、下ケース１０の幅方向における一方の端部を示す部分拡大斜視図である。なお、この図３及び先の図１においては、スライド機構４０の構成部品を示すために、後述するパネル部材５５の一方の端部５５ａ及びその近傍（図４参照）を省略した状態で図示している。図３に示すように、スライド機構４０は、側板６の内側面６ｃに取り付けたガイド部材４３と、ガイド部材４３に設けた直線状のガイド溝（凹部）４３ａと、蓋体２０側の取付板３４の下端に設けたリンク支点３４ｂに回動自在に取り付けたスライド部材４５と、スライド部材４５に設けたスライド突起（凸部）４５ａとを備え、ガイド溝４３ａにスライド突起４５ａをスライド自在に嵌合させた構成である。そして、蓋体２０が閉位置から開位置へ移動する際に、上記のスライド機構４０によって、蓋体２０の後端部２０ａが側板６の上端面６ａ及び鍵５ａ，５ｂの長手方向と平行に下ケース１０の前側へ移動するようになっている。
【００２８】
ガイド部材４３とスライド部材４５は、いずれも表面が滑らかな合成樹脂製の成型品などからなる。そして、ガイド部材４３は、側板６の内側面６ｃに取り付けた略矩形状の部材である。ガイド溝４３ａは、断面が略コ字型の溝部であり、その長手方向が側板６の上端面６ａ及び鍵５ａ，５ｂの長手方向と平行な方向に沿って前後に延びている。一方、スライド部材４５は、蓋体２０の開閉動作に伴い前後方向に移動するようになっている。スライド突起４５ａは、ガイド溝４３ａにスライド自在に嵌合する断面が略コ字型の突起である。なお、ガイド溝４３ａは、蓋体２０が閉位置から開位置まで移動する際の全域でスライド突起４５ａを嵌合させる長さ寸法を有している。
【００２９】
上記のスライド機構４０では、ガイド溝４３ａにスライド突起４５ａが嵌合していることで、これらが互いに離間することなくスライド移動するようになっている。これにより、蓋体２０のよりスムーズな開閉動作を実現できる。また、蓋体２０が閉位置と開位置との間で移動する際に、側板６の上端面６ａと蓋体２０の後端部２０ａとの間隔が常に一定に保たれるので、それらの間に指などを挟むことを効果的に防止できる。さらに、側板６と蓋体２０とを連結している連結具３１にねじれやゆがみが生じることも防止できる。
【００３０】
次に、上記の連結機構３０の連結具３１及びスライド機構４０を覆う構造について説明する。下ケース１０内の鍵盤５の後部上方には、板状のパネル部材（鍵盤押え）５５が設置されている。パネル部材５５は、鍵盤５の見え掛り部４より後側の上面を覆っている。なお、ここでいう鍵盤５の見え掛り部４とは、鍵盤５におけるパネル部材５５で覆われておらずその上面（演奏面）が露出している部分を指す。そして、パネル部材５５の幅方向両側の端部５５ａ，５５ａを除く部分は、開位置での蓋体２０の内面２０ｃに立て掛けた譜面（図示せず）の下端を載置するための譜面受け５３になっている。この譜面受け５３は、鍵５ａ，５ｂの長手方向に沿って前側から後側に向かうにつれて次第に下降するように傾斜する傾斜平面状の底面を有する窪みからなる。譜面受け５３は、下ケース１０の幅方向に沿って一方の側板６の近傍から他方の側板６の近傍まで延伸している。
【００３１】
図４（ａ）は、パネル部材５５の端部５５ａの詳細構成を示す図で、下ケース１０の一方の側板６及びその近傍を示す部分拡大斜視図である。同図に示すように、パネル部材５５の端部５５ａには、スライド機構４０及び連結具３１の一部を覆うカバー部５４が設けられている。本実施形態のパネル部材５５は、合成樹脂製の成型品であって、カバー部５４は、当該パネル部材５５における幅方向の両端（譜面受け５３の両端）に一体形成された部分である。このカバー部５４は、スライド機構４０を構成するガイド部材４３の周囲を覆うと共に、連結具３１の下ケース１０側の一部を覆う形状に形成されている。具体的には、カバー部５４は、その側板６側の端面（譜面受け５３と反対側の端面）が側板６の内側面６ｃに対峙（対向）しており、かつ、上面が側板６の上端面６ａに沿う平面状に形成されており、全体が略矩形状の箱型の部分として形成されている。
【００３２】
このようなカバー部５４の内部にスライド機構４０及び連結具３１の一部が収容されている。また、カバー部５４における側板６の内側面６ｃに対向する部分には、連結具３１を挿通させるための切込部５５ｃが設けられている。これにより、連結具３１は、切込部５５ｃを介してパネル部材５５の下側から上方に突出し、その先の端部３１ｂが蓋体２０の内面２０ｃに設けた第２リンク支点３５に連結されている。切込部５５ｃは、連結具３１の厚さ寸法よりも大きな幅寸法と、蓋体２０が閉位置と開位置との間で移動する際に連結具３１が移動する範囲よりも大きな奥行寸法とを有している。
【００３３】
そして、本実施形態の蓋体開閉構造では、既述のように、蓋体２０の内面２０ｃに設けた第２リンク支点３５には、トルク発生型の軸受部品３６が設置されている。このトルク発生型の軸受部品３６は、軸方向の一方の端部（外側の端部）３６ａに連結具３１の端部３１ｂが係合しており、そこから軸方向に沿って下ケース１０の内側（幅方向の内側）へ延びており、かつ、蓋体２０の内面２０ｃからその径寸法分だけ突出している。そして、パネル部材５５に設けた譜面受け５３の両端部は、蓋体２０が閉位置にある状態で上記のトルク発生型の軸受部品３６を収容するための収容部５２になっている。
【００３４】
図５は、パネル部材５５の取付手順を説明するための図で、下ケース１０の一方の側部を示す部分拡大斜視図である。パネル部材５５は、下ケース１０の手前側から両側の側板６，６の間に差し込まれて取り付けられている。この際、パネル部材５５の両端部５５ａ，５５ａに設けたカバー部５４，５４の外側の端面が側板６，６の内側面６ｃ，６ｃに対向するように取り付けられる。このとき、仮に鍵盤５が無ければ、パネル部材５５は、その面を略水平な状態にした状態で、図５（ａ）に符号Ｙの点線で示した仮想位置から後方へ略水平にスライド移動させて取り付けることができる。しかしながら、実際にはパネル部材５５の取付位置の前側には鍵盤５があり、上記のＹ位置からパネル部材５５を取り付けると黒鍵５ａの上端と干渉してしまう。そこで、パネル部材５５の取り付けにおいては、パネル部材５５を鍵盤５の上方から斜め下後方に向かって移動させて鍵盤５の後側に取り付けるようにする。このとき、パネル部材５５におけるカバー部５４の側板６側の前端部（角部）は、図５に示すＰ１→Ｐ２→Ｐ３の順で移動する。
【００３５】
また、上記のようにパネル部材５５が鍵盤５の後側に設置される際に、側板６の内側面６ｃに取り付けたガイド部材４３の前側上下の端面４３ｂ，４３ｂ（図３参照）が、パネル部材５５のカバー部５４の側板６側の端面に設けた段部（図示せず）に当接係合するように構成されている。これにより、側板６，６の内側面６ｃ，６ｃに対するパネル部材５５の両端部５５ａ，５５ａの位置決め（上下及び前後方向の位置決め）が行われるようになっている。すなわち、ガイド部材４３の上下の端面４３ｂ，４３ｂは、パネル部材５５を側板６の内側面６ｃに対峙させて配置する際の位置決め部になっている。このように、ガイド部材４３の上下の端面４３ｂ，４３ｂが位置決め部になっていることで、下ケース１０内にパネル部材５５を設置する際の位置決めが行い易い。また、パネル部材５５の両端部５５ａ，５５ａを側板６,６の内側面６ｃ,６ｃに対して正確に位置決めした状態で取り付けることが可能となる。これにより、鍵盤５の見え掛り部４の後側上方に設置するパネル部材５５は、その前端辺を黒鍵５ａ及び白鍵５ｂの配列方向（鍵盤楽器１の幅方向）に対して厳密に平行な状態で設置しなければならないところ、それが容易に実現できるようになる。したがって、鍵盤楽器１の組立性を向上させることができる。
【００３６】
上記のように、ガイド部材４３の端面４３ｂ，４３ｂをカバー部５４の段部に当接係合させてガイド部材４３及びパネル部材５５を位置決めした状態で、ガイド部材４３の上側の端面４３ｂに設けたネジ孔（図３参照）４４と、それに対応するカバー部５４に設けたネジ孔（図示せず）とにネジ（図４（ａ）参照）４６を締結することで、ガイド部材４３に対するパネル部材５５の固定を行う。これにより、パネル部材５５及びカバー部５４は、ガイド部材４３を介して側板６に対して間接的に固定される。そして、側板６の内側面６ｃとカバー部５４の側板６側の端面とは、それらの間に互いの寸法誤差を許容するための僅かな隙間を有して（隙間が無い場合もある）対峙した状態となる。なお、カバー部５４に設けた図示しないネジ孔をケース１０及びパネル部材５５の幅方向を長手方向とする長孔としておけば、ケースの側板６，６間の幅寸法（両側のガイド部材４３，４３間の寸法）に多少の誤差があっても、当該長孔でその誤差を許容することができるので、パネル部材５５の取り付けを容易かつ確実に行うことができる。
【００３７】
図４（ｂ）は、図４（ａ）のＸ部分を正面側から見た平面視の拡大図である。この図４（ｂ）に示すように、トルク発生型の軸受部品３６の端部３６ａと連結具３１の端部３１ｂとの間には、軸方向において幅寸法Ｗ２の隙間３５ａが設けられている。一方、図４（ａ）に示すように、パネル部材５５のカバー部５４における譜面受け５３側の端面５４ａと切込部５５ｃとの間の突出部５４ｂは、幅寸法Ｗ１になっている。そしてここでは、上記のＷ１とＷ２の関係は、Ｗ２＞Ｗ１、より詳細にはＷ１＋α＝Ｗ２となるように設定されている。ここでのαはクリアランスであり、Ｗ１，Ｗ２よりも小さい寸法である。このような寸法関係に設定したことで、後述する手順で蓋体２０を閉位置へ移動させた際に、連結具３１の端部３１ｂと軸受部品３６の端部３６ａとの隙間３５ａにカバー部５４の突出部５４ｂが収まるようになる。したがって、軸受部品３６がカバー部５４と干渉せずにパネル部材５５上の収容部５２に収容されるようになる。
【００３８】
また、図２及び図４（ａ）に示すように、蓋体２０が開位置にある状態で、連結具３１の移動を停止させるためのストッパ部３７が設けられている。ストッパ部３７は、パネル部材５５の切込部５５ｃの前端部（前端辺）に設けた連結具３１の端辺を当接させる係止部３７ａを備えている。係止部３７ａは、図２（ａ）に示すように、蓋体２０が完全に開いた開位置で連結具３１の屈曲部３１ｃの内端辺に当接することで、第１リンク支点３３を中心とする連結具３１の回動をその位置で規制する（停止させる）ようになっている。
【００３９】
図６は、蓋体２０が閉位置と開位置との間で移動する際の動作を説明するための図である。なお、図６では、連結具３１など蓋体２０の開閉動作に関連する主要な部品のみを図示している。また、同図では、開位置と閉位置との間で移動する蓋体２０及び連結具３１の軌跡を連続的に図示している。まず、図６の（Ａ）に示す状態で、蓋体２０が下ケース１０における鍵盤５の上方を完全に閉じた閉位置にある。この状態では、蓋体２０の両端部２０ｄ，２０ｄの内面２０ｃが側板６，６の上端面６ａ，６ａに被さっている。この状態から蓋体２０の前端部２０ｂを上方に持ち上げると、図６の（Ｂ）→（Ｊ）の順で蓋体２０が回動して、下ケース１０における鍵盤５の上方が開かれてゆく。このとき、第１リンク支点３３を中心に第２リンク支点３５が前側かつ上側に向かって回動すると共に、図３に示すスライド機構４０のスライド突起４５ａがガイド溝４３ａに沿って後側から前側に向かって水平にスライド移動することで、蓋体２０の後端部２０ａが側板６の上端面６ａに沿って後方から前方へスライド移動する。これにより、蓋体２０は、後端部２０ａの近傍を支点に前端部２０ｂが上方に回動する。そして、最終的には、図６の（Ｋ）に示すように、連結具３１がストッパ部３７の係止部３７ａに当接する位置で、連結具３１及び蓋体２０の動作が停止する。この位置で、蓋体２０が完全に開かれた開位置となる。この閉位置では、蓋体２０の後端部２０ａが前端部２０ｂよりも若干前側に位置しており、蓋体２０の内面２０ｃが下から上に向かって後方に若干傾斜した状態になっている。
【００４０】
一方、図６の（Ｋ）に示す開位置にある蓋体２０の前端部２０ｂを手前側に引くと、蓋体２０が閉位置に向かって移動する。この場合は、上記とは逆に、図６の（Ｊ）→（Ｂ）の順で蓋体２０が回動して、下ケース１０における鍵盤５の上方が閉じられてゆく。このとき、第１リンク支点３３を中心に第２リンク支点３５が後側かつ下側に向かって回動すると共に、蓋体２０の後端部２０ａが側板６の上端面６ａに沿って前方から後方へスライド移動する。これにより、蓋体２０は、後端部２０ａの近傍を支点に前端部２０ｂが下方に回動する。そして、最終的には、図６の（Ａ）に示すように、蓋体２０の内面２０ｃの両端部２０ｄ，２０ｄが側板６，６の上端面６ａ，６ａに載置された状態で、蓋体２０が鍵盤５の上方を完全に閉じた閉位置となる。そして、図２（ｂ）に示すように、この閉位置で、蓋体２０の内面２０ｃに取り付けたトルク発生型の軸受部品３６，３６がパネル部材５５の譜面受け５３の両端部に設けた収容部５２，５２内に配置されるようになっている。
【００４１】
以上説明したように、本実施形態の鍵盤楽器１が備える蓋体開閉構造では、側板６と蓋体２０の端部２０ｄとの間に取り付けられた連結具３１と、側板６に設けたガイド溝４３ａと連結具３１に設けたスライド突起４５ａとを備えるスライド機構４０とからなる連結機構３０を備えている。そして、鍵盤５の見え掛り部４の後側上方を覆うパネル部材５５は、その幅方向の両側の端部５５ａに設けたカバー部５４がスライド機構４０及び連結具３１の一部を覆った状態で側板６の内側面６ｃに対峙している。
【００４２】
本実施形態にかかる鍵盤楽器１のような連結具３１及びスライド機構４０を備えた連結機構３０を有する蓋体開閉構造では、仮に、連結具３１及びスライド機構４０の一部を覆うカバー部５４を設けていないと、蓋体２０を開いたときに、演奏者の側から連結機構３０を構成する連結具３１やスライド機構４０の構成部品が見えてしまうことで、鍵盤楽器１の外観が損なわれるおそれがある。また、側板６などの部品と連結具３１との間に微小な隙間があることで、当該隙間に指などを挟んでしまうおそれがある。また、スライド機構４０のガイド溝４３ａとスライド突起４５ａとの嵌合箇所が露出していると、スライド突起４５ａがガイド溝４３ａ内を摺動する際に、それらの間に指などを挟んでしまうおそれがある。そこで、本実施形態の鍵盤楽器１では、上記のようにパネル部材５５の両側の端部５５ａに設けたカバー部５４でスライド機構４０及び連結具３１の一部を覆うように構成した。これにより、蓋体２０を開いた際に連結具３１やスライド機構４０の構成部品が露出せずに済み、それらを鍵盤楽器１の外観上見え難くすることができるので、鍵盤楽器１の外観を良好にすることができる。また、連結具３１と側板６との隙間やスライド機構４０の隙間などが露出せずに済むので、それらの隙間に指などを挟んでしまうおそれがなくなる。したがって、鍵盤楽器１が備える蓋体開閉構造の取扱いにおける安全性を向上させることができる。
【００４３】
また、本実施形態の蓋体開閉構造では、連結機構３０の構成部品を覆うためのカバー部５４を、鍵盤５の見え掛り部４より後側上方を覆うパネル部材５５と一体に形成したことで、鍵盤楽器１の部品点数を少なく抑えている。これにより、鍵盤楽器１の組立工程の煩雑化を防止でき、低コスト化を図ることができる。また、カバー部５４をパネル部材５５に一体形成していることで、カバー部５４をガイド部材４３に当接係合させるだけで、カバー部５４とパネル部材５５の両者を一体的に位置決めでき、その状態で両者を固定することができる。したがって、カバー部５４及びガイド部材４３の取付作業の簡素化を図ることができる。
【００４４】
また、本実施形態の蓋体開閉構造では、側板６の内側面６ｃに取り付けたガイド部材４３の端面４３ｂで、パネル部材５５のカバー部５４を側板６の内側面６ｃに取り付ける際の位置決めを行うようにしている。これにより、パネル部材５５を取り付ける際の位置決めが行い易くなる。また、鍵盤５の見え掛り部４の後側上方に設置するパネル部材５５は、その前端辺を各鍵５ａ，５ｂの配列方向に対して厳密に平行な状態で設置しなければならないところ、それが容易に実現できるようになる。したがって、鍵盤楽器１の組立性を向上させることができる。
【００４５】
また、本実施形態の蓋体開閉構造では、カバー部５４における側板６の内側面６ｃに対向する部分には、連結具３１を挿通させるための切込部５５ｃが設けられている。これにより、下ケース１０と蓋体２０とを連結する連結具３１を覆いながらも、蓋体２０の開閉に伴う連結具３１の動作を確保することができる。
【００４６】
また、本実施形態の蓋体開閉構造では、パネル部材５５の上面は、開位置での蓋体２０の内面２０ｃに立て掛ける譜面を載置するための譜面受け５３になっており、この譜面受け５３は、鍵５ａ，５ｂの長手方向に沿って前側から後側に向かうにつれて次第に下降するように傾斜する傾斜平面状の底面を有する窪みからなる。そして、当該譜面受け５３の両側の端部は、蓋体２０が閉位置にある状態で、第２リンク支点３５を構成するトルク発生型の軸受部品３６を収容するための収容部５２になっている。
【００４７】
この構成によれば、蓋体２０が閉位置にある状態で、パネル部材５５に設けた譜面受け５３の両側の端部に第２リンク支点３５の軸受部品３６が収容されるようになる。したがって、蓋体２０が閉位置にある状態での鍵盤楽器１の高さ寸法を低く抑えることができる。また、パネル部材５５に設けた譜面受け５３でトルク発生型の軸受部品３６を収容するための収容部５２を兼用するように構成したことで、鍵盤楽器１の構成の簡素化、部品点数の削減による低コスト化などを図ることも可能となる。特に、第２リンク支点３５を構成する軸受部品をトルク発生型の軸受部品３６とすると、トルク発生機能を有しない通常の軸受部品と比較して、その径寸法が大きくなるところ、本実施形態の鍵盤楽器１が備える上記構成によれば、パネル部材５５に設けた譜面受け５３の窪みが軸受部品３６の収容部５２になっていることで、径寸法や長さ寸法の大きな軸受部品３６を下ケース１０内に確実に収容することが可能となる。また、第２リンク支点３５を構成する軸受部品として、トルク発生型の軸受部品３６とトルク発生機能を有しない軸受部品との両方を使用可能となるので、蓋体開閉構造の設計自由度を向上させることができる。さらに、複数種類の機種間で同一構成の蓋体開閉構造を共用する場合でも、鍵盤楽器１の各部の寸法（下ケース１０の高さ寸法など）の機種ごとの変更が不要となるので、蓋体開閉構造の汎用性を向上させることができる。
【００４８】
〔第２実施形態〕
次に、本発明の第２実施形態について説明する。なお、第２実施形態の説明及び対応する図面においては、第１実施形態と同一又は相当する構成部分には同一の符号を付し、以下ではその部分の詳細な説明は省略する。また、以下で説明する事項以外の事項については、第１実施形態と同じである。図７は、本発明の第２実施形態にかかる蓋体開閉構造を示す図で、（ａ）は、鍵盤楽器１の側断面図、（ｂ）は、下ケース１０及びパネル部材５５を正面側から見た概略図である。第１実施形態では、下ケース１０内でのパネル部材５５の固定は、図３及び図４に示すように、パネル部材５５の端部５５ａに設けたカバー部５４をガイド部材４３に対してネジ４６の締結によって固定することで行われていた。すなわち、パネル部材５５は、側板６の内側面６ｃに取り付けたガイド部材４３に固定されていた。これに対して、本実施形態では、パネル部材５５は、ケース１０の底板９上に立設した支持部９ｄによって該底板９に対して固定されている。
【００４９】
すなわち、底板９の上面（内面）には、上方に向かって立設された柱状（ボス状）の支持部９ｄが一体形成されている。支持部９ｄの数は、一例として８８鍵の鍵盤楽器であれば、図７（ｂ）に示すように、ケース１０の幅方向の両側の近傍にそれぞれ１本ずつ設けると共に、さらに図示は省略するがケース１０の幅方向の途中に少なくとも２本を設け、合計４本を形成するとよい。一方、パネル部材５５の下面における各支持部９ｄに対応する位置には、下方に突出する小突起状のボス部５５ｄが形成されている。そして、パネル部材５５は、鍵盤５の後側の所定位置（取付位置）に配置すると、ボス部５５ｄの下端面が支持部９ｄの上端面に当接する（載置される）ようになっている。その状態で、支持部９ｄの内部（上端面の下側）からボス部５５ｄに挿入したネジ４８を締結固定することで、支持部９ｄにボス部５５ｄを固定する。これにより、パネル部材５５は、支持部９ｄによって支持された状態でケース１０内に設置される。このとき、パネル部材５５の両端部５５ａ，５５ａ（カバー部５４，５４）が側板６,６の内側面６ｃ,６ｃに対峙した状態となる。なお、本実施形態においても、パネル部材５５の位置決めは、図３，４に示すものと同様、側板６の内側面６ｃに取り付けたガイド部材４３の端面４３ｂ，４３ｂとカバー部５４の側板６側の端面に設けた段部（図示せず）との係合によってなされるようにしている。
【００５０】
本実施形態の構成によれば、ケース１０内に設置したパネル部材５５を固定するための固定具（ネジ）４８を鍵盤楽器の外観上に現れないように隠すことができるので、鍵盤楽器の外観を良好にすることができる。
【００５１】
以上本発明の実施形態を説明したが、本発明は上記実施形態に限定されるものではなく、特許請求の範囲、及び明細書と図面に記載された技術的思想の範囲内において種々の変形が可能である。例えば、上記実施形態では、蓋体開閉構造を適用した鍵盤楽器１として、卓上型の鍵盤楽器を示したが、本発明にかかる蓋体開閉構造は、卓上型の鍵盤楽器以外にも、脚部を備えた自立型（大型）の鍵盤楽器などに適用することも可能である。
【００５２】
また、上記の各実施形態では、蓋体２０側に設けた第２リンク支点３５は、蓋体２０の内面２０ｃにおける後端部２０ａ側に配置されている場合を示したが、第２リンク支点３５は、蓋体２０の幅方向（鍵５ａ，５ｂの配列方向）の端部２０ｄに設けてさえいれば、上記実施形態に示す以外の場所に配置することも可能である。例えば、蓋体２０の内面２０ｃにおける後端部２０ａと前端部２０ｂの中間位置や、蓋体２０の幅方向の端面における後端部２０ａ、又は後端部２０ａと前端部２０ｂの中間位置などに設けてもよい。
【００５３】
また、上記の各実施形態では、閉位置にある蓋体２０の両端部（幅方向の両端部）２０ｄ，２０ｄの内面２０ｃが側板６の上端面６ａに載置されるように構成した場合を示したが、これ以外にも、図示は省略するが、側板６の内側面６ｃに蓋止用の他の部材を取り付けておき、閉位置にある蓋体２０の両端部（幅方向の両端部）２０ｄ，２０ｄの内面２０ｃが、この蓋止用の部材の上端面に載置されるように構成してもよい。この場合、側板６の内側面６ｃに取り付ける蓋止用の部材は、その上端面が側板６の上端面６ａと平行かつ側板６の上端面６ａに対して蓋体２０の厚さ寸法分だけ低い位置となるように取り付けておけば、閉位置の蓋体２０の外面（上面）と側板６の上端面６ａとを同一の高さ位置で連続する一の面内に配置することができる。これにより、蓋体２０を閉じた状態の鍵盤楽器の外観を良好にすることができる。
【００５４】
また、上記の各実施形態では、第２リンク支点３５を支持するための取付板３４が、蓋体２０の端部２０ｄの内面２０ｃに取り付けられている場合を示したが、これ以外にも図示は省略するが、上記の取付板３４に代わる他の取付板を蓋体２０の内面２０ｃではなく幅方向（鍵の配列方向）の端面（外側面）に取り付けるようにしてもよい。その場合は、蓋体２０の幅方向の端面とそれに対向する側板６の内側面６ｃとの隙間に上記の取付板がおさまるように構成する。あるいは、蓋体２０の幅方向の端面を若干窪ませておき、その部分に上記の取付板を固定すれば、閉位置の蓋体２０及び側板６に上記の取付板が干渉せずに済む。また、蓋体２０の幅方向の端面に、蓋体２０の外面側（上面側）よりも内面側（下面側）の方が一段内側（幅方向の内側）に下がった位置となるような段部を形成しておき、当該段部の下がった位置に取付板を取り付けるようにすれば、蓋体２０を閉じた状態で、取付板の端部（端辺）が蓋体２０の外面（上面）側に露出せずに済むので、蓋体２０を閉じた状態の鍵盤楽器の外観を良好にすることができる。
【００５５】
また、上記実施形態では、連結機構３０は、蓋体２０と下ケース１０の側板６とを連結する１本の連結具３１を備えた構成である場合を示したが、これ以外にも、本発明にかかる連結機構は、蓋体とケースの側板とを連結するための連結具を２本以上備えた構成であってもよい。
【００５６】
また、上記実施形態では、スライド機構４０及び連結具３１の一部を覆うカバー部５４が、パネル部材５５の両端に一体形成された部分である場合を示したが、これ以外にも、詳細な図示は省略するが、カバー部をパネル部材とは別部品として構成することも可能である。その場合は、別部品であるカバー部とパネル部材を予め互いに結合させて一体化しておき、その状態で下ケース１０内に設置するようにしてもよいし、カバー部とパネル部材を分離した状態にしておき、先にカバー部を側板６の内側面６ａに対峙させた状態で下ケース１０内に設置し、その後、カバー部にパネル部材を取り付けるようにしてもよい。
【符号の説明】
【００５７】
１・・・鍵盤楽器、４・・・見え掛り部、５・・・鍵盤、６・・・側板（側部）、１０・・・下ケース（ケース）、２０・・・蓋体、３０・・・連結機構、３１・・・連結具、３３・・・第１リンク支点、３５・・・第２リンク支点、３６・・・軸受部品（トルク発生型の軸受部品）、４０・・・スライド機構、４３・・・ガイド部材、４３ａ・・・ガイド溝（凹部）、４３ｂ・・・端面、４５・・・スライド部材、４５ａ・・・スライド突起（凸部）、５２・・・収容部、５３・・・譜面受け、５４・・・カバー部、５５・・・パネル部材、５５ａ・・・端部、５５ｃ・・・切込部
【図１】
0005780027.tif 000002
【図２】
0005780027.tif 000003
【図３】
0005780027.tif 000004
【図４】
0005780027.tif 000005
【図５】
0005780027.tif 000006
【図６】
0005780027.tif 000007
【図７】
0005780027.tif 000008